(57)【要約】【課題】  セッションへの参加に制限を設けたとしても、このセッションで送受信されるコンテンツデータが管理手段において管理されている場合には、この管理手段へアクセスすることで、参加制限の設けられたセッションにおけるコンテンツが、セッションに参加していないアクセス元に開示され得る。【解決手段】  画像情報管理ＤＢ５００４は、通信端末１０によるセッションへの参加の認証に用いられる参加認証情報を管理する。また、画像情報管理ＤＢ５００４は、セッションにおいて通信端末１０間で送信される画像情報を管理する。送受信部５１によって、画像情報の要求が受け付けられると、認証部５２は、画像情報管理ＤＢ５００４において管理されている参加認証情報を用いて認証する。認証に成功した場合に、送受信部５１は、画像情報を画像情報の要求元の通信端末１０へ送信する。【選択図】図１
2017011644.tif 000002
【特許請求の範囲】
【請求項１】
通信端末間のセッションへの参加要求の認証に用いられる認証情報を管理する認証情報管理手段と、
前記セッションにおいて前記通信端末間で送信されるコンテンツデータを管理するコンテンツデータ管理手段と、
前記コンテンツデータ管理手段において管理されている前記コンテンツデータの要求を受け付ける要求受付手段と、
前記認証情報管理手段において管理されている前記認証情報を用いて認証する認証手段と、
前記認証手段が前記認証情報を用いて前記コンテンツデータの要求の認証に成功した場合に、前記コンテンツデータ管理手段において管理されている前記コンテンツデータを前記コンテンツデータの要求元の通信端末へ送信する送信手段と、
を有することを特徴とする管理システム。
【請求項２】
前記認証手段は、前記コンテンツデータの要求元の通信端末によって送信される認証情報と、前記認証情報管理手段において管理されている前記認証情報とが一致するか否かに基づいて認証することを特徴とする請求項１に記載の管理システム。
【請求項３】
前記認証情報と、前記セッションにおいて通信端末間で送信される一以上のコンテンツデータと、を関連付けて管理しており、
前記送信手段は、前記コンテンツデータの要求元の通信端末によって送信される認証情報に関連付けられて管理されている前記一以上のコンテンツデータを前記コンテンツデータの要求元の通信端末へ送信することを特徴とする請求項２に記載の管理システム。
【請求項４】
前記要求受付手段は、前記通信端末間のセッションへ参加する通信端末とは異なる通信端末から、前記コンテンツデータの要求を受付可能であることを特徴とする請求項１乃至３のいずれか一項に記載の管理システム。
【請求項５】
請求項１乃至４のいずれか一項に記載の管理システムと、
前記セッションにおいて他の通信端末との間で前記コンテンツデータを送信可能な通信端末と、
を有することを特徴とする通信システム。
【請求項６】
前記通信端末は、
前記通信端末間のセッションへ参加要求するとき、及び前記管理システムにおいて管理されている前記コンテンツデータを要求するときに、セッション毎に設定される認証情報を前記管理システムへ送信することを特徴とする請求項５に記載に通信システム。
【請求項７】
通信端末間のセッションへの参加要求の認証に用いられる認証情報を管理する認証情報管理手段と、前記セッションにおいて前記通信端末間で送信されるコンテンツデータを管理するコンテンツデータ管理手段と、を有する管理システムに、
前記コンテンツデータ管理手段において管理されている前記コンテンツデータの要求を受け付ける要求受付処理と、
前記認証情報管理手段において管理されている前記認証情報を用いて認証する認証処理と、
前記認証処理によって、前記認証情報を用いて前記コンテンツデータの要求の認証に成功した場合に、前記コンテンツデータ管理手段において管理されている前記コンテンツデータを前記コンテンツデータの要求元の通信端末へ送信する送信処理と、
を実行することを特徴とするデータ管理方法。
【請求項８】
前記通信端末に、
通信端末間のセッションへ参加要求するとき、及び前記管理システムにおいて管理されている前記コンテンツデータを要求するときに、セッション毎に設定される認証情報を前記管理システムへ送信する処理を実行させることを特徴とする請求項７に記載にデータ管理方法。
【請求項９】
通信端末間のセッションへの参加要求の認証に用いられる認証情報を管理する認証情報管理手段と、前記セッションにおいて前記通信端末間で送信されるコンテンツデータを管理するコンテンツデータ管理手段と、を有する管理システムに、請求項７に記載の各処理を実行させることを特徴とするプログラム。
【請求項１０】
他の通信端末との間でコンテンツデータを送信可能な通信端末に、請求項８に記載の処理を実行させることを特徴とするプログラム。
【発明の詳細な説明】
【技術分野】
【０００１】
本発明は、管理システム、通信システム、データ管理方法、及びプログラムに関する。
【背景技術】
【０００２】
近年、当事者の移動の経費や時間を削減する要請等に伴い、インターネットや専用線等の通信ネットワークを介して通話や会議等を行う通信システムが普及している。このような通信システムでは、通信端末間で通信を開始すると、画像データ及び音データ等のコンテンツデータの送受信が行われ、拠点間のコミュニケーションを実現する。また、拠点間のコミュニケーションを円滑に行うために、通話用のコンテンツに加えて、他のコンテンツを拠点間で共有する方法が提案されている。
【０００３】
例えば、特許文献１には、端末装置において、通信相手の端末装置と音声の送受信を行えるようセッションを制御し、更に、通信相手の端末装置と画像および手書きデータの送受信を行えるようセッションを制御することにより、画像を指し示しながら音声通話可能とする方法が開示されている。また、特許文献１に記載の端末装置には、フラッシュメモリやハードディスク等の不揮発性メモリにより構成される二次記憶装置が設けられている。この二次記憶装置は、手書きデータ等の電源を落とした場合でも失いたくないデータを格納するとしている。
【０００４】
一方、特許文献２には、参加要求端末から受信した参加認証情報の内容と、管理システムの端末管理テーブルに登録されている参加認証情報の内容とを比較して、両者が一致する場合には、参加要求端末の確立中セッションへの参加を許可する方法が開示されている。
【発明の概要】
【発明が解決しようとする課題】
【０００５】
しかしながら、セッションへの参加に制限を設けたとしても、このセッションで送受信されるコンテンツデータが管理手段において管理されている場合には、この管理手段へアクセスすることで、参加制限の設けられたセッションにおけるコンテンツが、セッションに参加していないアクセス元に開示され得るという課題が生じる。
【課題を解決するための手段】
【０００６】
請求項１に係る発明の管理システムは、通信端末間のセッションへの参加要求の認証に用いられる認証情報を管理する認証情報管理手段と、前記セッションにおいて前記通信端末間で送信されるコンテンツデータを管理するコンテンツデータ管理手段と、前記コンテンツデータ管理手段において管理されている前記コンテンツデータの要求を受け付ける要求受付手段と、前記認証情報管理手段において管理されている前記認証情報を用いて認証する認証手段と、前記認証手段が前記認証情報を用いて前記コンテンツデータの要求の認証に成功した場合に、前記コンテンツデータ管理手段において管理されている前記コンテンツデータを前記コンテンツデータの要求元の通信端末へ送信する送信手段と、を有することを特徴とする。
【発明の効果】
【０００７】
以上説明したように本発明によれば、セッションで送受信されるコンテンツデータが管理手段において管理されている場合に、このセッションに参加していない管理手段へのアクセス元にコンテンツデータが開示されることを防ぐことが可能になるという効果を奏する。
【図面の簡単な説明】
【０００８】
【図１】一実施形態に係る通信システムの概略図である。
【図２】一実施形態に係る通信端末の外観図である。
【図３】一実施形態に係るインタラクティブホワイトボードの外観図である。
【図４】一実施形態に係る通信端末及びインタラクティブホワイトボードのハードウェア構成図である。
【図５】一実施形態に係る管理システムのハードウェア構成図である。
【図６】一実施形態に係る通信端末、及び管理システムの各機能ブロック図である。
【図７】管理システムにおいて管理されている各管理テーブルを示す概念図である。
【図８】通信端末間のセッションを確立する処理を示したシーケンス図である。
【図９】ディスプレイの表示例を示す図である。
【図１０】通信端末間で画像情報を送信する処理を示したシーケンス図である。
【図１１】画像を再生する処理を示したシーケンス図である。
【図１２】ディスプレイの表示例を示す図である。
【図１３】ディスプレイの表示例を示す図である。
【図１４】ディスプレイの表示例を示す図である。
【発明を実施するための形態】
【０００９】
＜＜実施形態の全体構成＞＞
以下、本発明の実施形態について説明する。図１は、本発明の一実施形態に係る通信システムの概略図である。図１に示されているように、通信システム１は、テレビ会議端末が一例である通信端末（１０ａ，１０ｂ，１０ｃ）、画像共有装置の一例としてのインタラクティブホワイトボード（２０ａ，２０ｂ，２０ｃ）（Interactive Whiteboard、以下、ＩＷＢと表記する）、及び各種通信端末を管理する管理システム５０によって構築されている。以下、通信端末（１０ａ，１０ｂ，１０ｃ）のうち任意の通信端末を表す場合は、通信端末１０と記載する。また、ＩＷＢ（２０ａ，２０ｂ，２０ｃ）のうち任意のＩＷＢを表す場合は、ＩＷＢ２０と記載する。管理システム５０は、サーバ機能を備えたコンピュータである。
【００１０】
この通信システム１によって、通信端末（１０ａ，１０ｂ，１０ｃ）のユーザ間で、通話を行うことができる。この通話は、音、映像（画像）、又は、音及び映像（画像）によって実現することができる。また、ＩＷＢ（２０ａ，２０ｂ，２０ｃ）のユーザ間で、文字、図形、記号等が描かれた画像を共有することができる。
【００１１】
また、通信端末１０、ＩＷＢ２０、及び管理システム５０は、インターネット、携帯電話網、あるいは、ＬＡＮ(Local Area Network)等の通信ネットワーク２によって通信可能である。拠点（Ａ，Ｂ，Ｃ）には、それぞれ通信端末１０及びＩＷＢ２０が一台ずつ配置されており、通信端末１０及びＩＷＢ２０の両方を用いて、拠点間でテレビ会議を行うこともできる。なお、図１では、説明を簡単にするために、各拠点（Ａ，Ｂ，Ｃ）に、通信端末１０、及びＩＷＢ２０は、１台ずつ表されているだけであり、それぞれ複数台であってもよい。また、各拠点（Ａ，Ｂ，Ｃ）に、例えば、プロジェクタ、電子看板(デジタルサイネージ)等の、通信端末１０、及びＩＷＢ２０以外の通信端末が通信ネットワーク２を介して通信可能に配置されていても良い。
【００１２】
＜＜実施形態のハードウェア構成＞＞
次に、本実施形態のハードウェア構成を説明する。図２は、一実施形態に係る通信端末１０の外観図である。図２に示されているように、通信端末１０は、筐体１１００、アーム１２００、及びカメラハウジング１３００を備えている。このうち、筐体１１００の前側壁面１１１０には、複数の吸気孔によって形成された吸気面が設けられており、筐体１１００の後側壁面１１２０には、複数の排気孔が形成された排気面１１２１が設けられている。これにより、筐体１１００に内蔵された冷却ファンの駆動によって、吸気面を介して通信端末１０の後方の外気を取り込み、排気面１１２１を介して通信端末１０の後方へ排気することができる。筐体１１００の右側壁面１１３０には、収音用孔１１３１が形成され、後述する内蔵型のマイク１１４によって音声、物音、雑音等の音が収音可能となっている。
【００１３】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられていると共に、後述の内蔵型のスピーカ１１５からの出力音を通すための複数の音声出力孔によって形成された音出面１１５１が形成されている。また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための接続口が設けられている。
【００１４】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００１５】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図２は、チルト角θ１が９０度の状態を示している。カメラハウジング１３００には、後述の内蔵型のカメラ１１２が設けられており、ユーザ、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図２で示されている状態を０度として±１８０度のパン角θ２の範囲で、且つ、±４５度のチルト角θ３の範囲で、上下左右方向に回転可能に構成されている。
【００１６】
なお、上記図２の外観図はあくまで一例であってこの外観に限定するものではない。通信端末１０は例えば汎用的なＰＣ、スマートフォン、タブレット型端末、であってもよい。カメラやマイクは必ずしも内蔵型である必要はなく外付けであってもよい。
【００１７】
図３は、一実施形態に係るＩＷＢ２０の外観図である。図３に示されるように、ＩＷＢ２０は、ディスプレイ２２０と、スタンド２４０と、機器収納部２５０とを有する。ディスプレイ２２０は、液晶パネル又はプラズマパネルなどのフラットパネルからなり、ディスプレイ２２０の筐体前面には画像を表示する表示面２２２及びタッチパネル２２４が設けられている。
【００１８】
入力装置３００には、信号送信装置が設けられており、入力装置３００のペン先を表示面２２２に接触させると、信号送信装置は、筆記検知信号（接触検知信号）を無線信号として送信する。入力装置３００によって送信された筆記検知信号がＩＷＢ２０側で受信されたことを契機として、ディスプレイ２２０は、タッチパネル２２４により検知された座標位置に書き込まれた文字や図形等を表示する。また、入力装置３００のペン尻を表示面２２２に接触させると、信号送信装置は、消去検知信号（接触検知信号）を無線信号として送信する。入力装置３００によって送信された消去検知信号がＩＷＢ２０側で受信されたことを契機として、ディスプレイ２２０は、タッチパネル２２４により検知された座標位置に書き込まれた文字や図形等を表示面２２２から消去する。機器収納部２５０は、例えば、ＩＷＢ２０の本体等の各種機器が収納されている。また、機器収納部２５０の上面には、入力操作を行うキーボード２３０が搭載されている。
【００１９】
なお、管理システム５０は、それぞれ一般のサーバコンピュータの外観と同じであるため、外観の説明を省略する。
【００２０】
図４（Ａ）は、一実施形態に係る通信端末１０のハードウェア構成図である。図４（Ａ）に示されているように、本実施形態の通信端末１０は、通信端末全体の動作を制御するＣＰＵ(Central Processing Unit)１０１、ＩＰＬ(Initial Program Loader)等のＣＰＵ１０１の駆動に用いられるプログラムを記憶したＲＯＭ(Read Only Memory)１０２、ＣＰＵ１０１のワークエリアとして使用されるＲＡＭ(Random Access Memory)１０３、各種端末用のプログラム、画像データ、及び音声データ等の各種データを記憶するフラッシュメモリ１０４、ＣＰＵ１０１の制御にしたがってフラッシュメモリ１０４に対する各種データの読み出し又は書き込みを制御するＳＳＤ（Solid State Drive）１０５、フラッシュメモリ等の記録メディア１０６に対するデータの読み出し又は書き込み（記憶）を制御するメディアドライブ１０７、宛先を選択する場合などに操作される操作ボタン１０８、通信端末１０の電源のＯＮ／ＯＦＦを切り換えるための電源スイッチ１０９、通信ネットワーク２を利用してデータ伝送をするためのネットワークＩ／Ｆ(Interface)１１１を備えている。
【００２１】
また、通信端末１０は、ＣＰＵ１０１の制御に従って被写体を撮像して画像データを得る内蔵型のカメラ１１２、このカメラ１１２の駆動を制御する撮像素子Ｉ／Ｆ１１３、音声を入力する内蔵型のマイク１１４、音声を出力する内蔵型のスピーカ１１５、ＣＰＵ１０１の制御に従ってマイク１１４及びスピーカ１１５との間で音声信号の入出力を処理する音入出力Ｉ／Ｆ１１６、ＣＰＵ１０１の制御に従って外付けのディスプレイ１２０に画像データを伝送するディスプレイＩ／Ｆ１１７、各種の外部機器を接続するための外部機器接続Ｉ／Ｆ１１８、通信端末１０の各種機能の異常を知らせるアラームランプ１１９、及び上記各構成要素を図４に示されているように電気的に接続するためのアドレスバスやデータバス等のバスライン１１０を備えている。
【００２２】
ディスプレイ１２０は、被写体の画像や操作用等を表示する液晶や有機ＥＬ(Organic Electroluminescence)によって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ（登録商標）(High-Definition Multimedia Interface)やＤＶＩ(Digital Video Interactive)信号用のケーブルであってもよい。
【００２３】
カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。
【００２４】
外部機器接続Ｉ／Ｆ１１８には、筐体１１００の接続口１１３２に差し込まれたＵＳＢ(Universal Serial Bus)ケーブル等によって、外付けカメラ、外付けマイク、及び外付けスピーカ等の外部機器がそれぞれ電気的に接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００２５】
なお、記録メディア１０６は、通信端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Electrically Erasable and Programmable ROM）等を用いてもよい。
【００２６】
なお、ディスプレイ１２０は、通信端末１０の本体に内蔵されていても良い。また、各種通信端末には、その機能に応じて、図４に記載されていないハードウェア構成が設けられていても、図４に記載された一部のハードウェア構成が設けられていなくても良い。
【００２７】
続いて、図４（Ｂ）を用いて、ＩＷＢ２０のハードウェア構成図について、通信端末１０のハードウェア構成と異なる点を説明する。図４（Ｂ）は、一実施形態に係るＩＷＢ２０のハードウェア構成図である。通信端末１０とは異なり、一実施形態に係るＩＷＢ２０には、カメラ１１２、撮像素子Ｉ／Ｆ１１３、マイク１１４、スピーカ１１５、及び音入出力Ｉ／Ｆ１１６が設けられていない。
【００２８】
一方でＩＷＢ２０には、タッチパネル２２４、タッチパネル２２４用のＩ／Ｆ１２０、及び、入力装置３００によって送信された接触検知信号を受信して、この接触検知信号をタッチパネル２２４へ出力する信号受信装置２２５が設けられている。タッチパネル２２４の制御回路であるタッチパネルドライバは、入力装置３００から送られてきた接触検知信号により入力操作が行われていることを認識し、入力装置３００による入力操作に対応する画像情報を出力する。ＩＷＢ２０に内蔵されたディスプレイ２２０は、入力操作を契機としてタッチパネルドライバによって出力された画像情報、あるいは、通信ネットワーク２を介して他のＩＷＢ２０から送られてきた画像情報に基づく各画像を重畳的に出力する。また、ＩＷＢ２０には、キーボード２３０が設けられており、キーボード２３０の操作に基づいて操作入力を受け付けることもできる。
【００２９】
図５は、一実施形態に係る管理システム５０のハードウェア構成図である。管理システム５０は、管理システム５０全体の動作を制御するＣＰＵ５０１、ＩＰＬ等のＣＰＵ５０１の駆動に用いられるプログラムを記憶したＲＯＭ５０２、ＣＰＵ５０１のワークエリアとして使用されるＲＡＭ５０３、管理システム５０用のプログラム等の各種データを記憶するＨＤ５０４、ＣＰＵ５０１の制御にしたがってＨＤ５０４に対する各種データの読み出し又は書き込みを制御するＨＤＤ(Hard Disk Drive)５０５、フラッシュメモリ等の記録メディア５０６に対するデータの読み出し又は書き込み（記憶）を制御するメディアドライブ５０７、カーソル、メニュー、ウィンドウ、文字、又は画像などの各種情報を表示するディスプレイ５０８、通信ネットワーク２を利用してデータ通信するためのネットワークＩ／Ｆ５０９、文字、数値、各種指示などの入力のための複数のキーを備えたキーボード５１１、各種指示の選択や実行、処理対象の選択、カーソルの移動などを行うマウス５１２、着脱可能な記録媒体の一例としてのＣＤ−ＲＯＭ(Compact Disc Read Only Memory)５１３に対する各種データの読み出し又は書き込みを制御するＣＤ−ＲＯＭドライブ５１４、及び、上記各構成要素を図５に示されているように電気的に接続するためのアドレスバスやデータバス等のバスライン５１０を備えている。
【００３０】
＜＜実施形態の機能構成＞＞
次に、本実施形態の機能構成について説明する。図６は、一実施形態に係る通信システム１の一部を構成する通信端末１０、及び管理システム５０の機能ブロック図である。図６では、通信端末１０、及び管理システム５０が、通信ネットワーク２を介してデータ通信することができるように接続されている。
【００３１】
＜通信端末の機能構成＞
通信端末１０は、送受信部１１、操作入力受付部１２、表示制御部１３、及び記憶・読出部１９を有している。これら各部は、図４（Ａ）に示されている各構成要素のいずれかが、フラッシュメモリ１０４からＲＡＭ１０３上に展開されたプログラムに従ったＣＰＵ１０１からの命令によって動作することで実現される機能である。また、通信端末１０は、図４（Ａ）に示されているＲＯＭ１０２、ＲＡＭ１０３、フラッシュメモリ１０４によって構築される記憶部１０００を有している。
【００３２】
（通信端末の各機能構成）
次に、図６を用いて、通信端末１０の各機能構成について詳細に説明する。なお、以下では、通信端末１０の各機能構成を説明するにあたって、図４（Ａ）に示されている各構成要素のうち、通信端末１０の各機能構成を実現させるための主な構成要素との関係も説明する。
【００３３】
通信端末１０の送受信部１１は、ＣＰＵ１０１からの命令、及びネットワークＩ／Ｆ１１１によって実現され、通信ネットワーク２を介して、相手側の各装置又はシステム等と各種データの送受信を行う。
【００３４】
操作入力受付部１２は、ＣＰＵ１０１からの命令、並びに操作ボタン（１０８ａ、１０８ｂ、１０８ｃ、１０８ｄ、１０８ｅ）及び電源スイッチ１０９によって実現され、ユーザによる各種入力や各種選択を受け付ける。
【００３５】
表示制御部１３は、ＣＰＵ１０１からの命令、及びディスプレイＩ／Ｆ１１７によって実現され、相手側の通信端末から送られてきた画像データをディスプレイ１２０に送信するための制御を行う。なお、表示制御部１３は、相手側の通信端末から送られてきた画像情報、あるいは、自端末の入力装置３００の操作に基づく画像情報をディスプレイ２２０に送信するための制御を行う。
【００３６】
記憶・読出部１９は、ＣＰＵ１０１からの命令及びＳＳＤ１０５によって実現され、記憶部１０００に各種データを記憶したり、記憶部１０００に記憶された各種データを抽出する処理を行う。
【００３７】
＜管理システムの機能構成＞
管理システム５０は、送受信部５１、認証部５２、管理部５３、作成部５４、セッション制御部５８、及び記憶・読出部５９を有している。これら各部は、図５に示されている各構成要素のいずれかが、ＨＤ５０４からＲＡＭ５０３上に展開された管理システム５０用のプログラムに従ったＣＰＵ５０１からの命令によって動作することで実現される機能である。また、管理システム５０は、ＨＤ５０４により構築される記憶部５０００を有している。この記憶部５０００には、後述の各テーブルによって各ＤＢが構築されている。
【００３８】
（端末管理テーブル）
図７（Ａ）は、端末管理テーブルを示す概念図である。この端末管理テーブルでは、通信端末１０の通信ＩＤ毎に、この通信端末１０が参加するセッションへの他の通信端末１０の参加要求を認証するために用いられる参加認証情報が関連付けられて管理される。なお、通信ＩＤは、通信システム１において通信先を特定するための情報である。通信ＩＤとしては、通信先を特定可能な情報であれば特に限定されないが、例えば、通信端末１０の識別情報、通信端末１０のユーザのアカウント等が含まれる。なお、通信端末（１０ａ，１０ｂ，１０ｃ）の通信ＩＤは、それぞれ「０１ａ，０１ｂ，０１ｃ」であるものとして説明を続ける。
【００３９】
（画像情報管理テーブル）
図７（Ｂ）は、画像情報管理テーブルを示す概念図である。画像情報管理テーブルは、通信端末１０間のセッションのセッションＩＤ毎に作成される。この画像情報管理テーブルでは、シート番号によって分割されるセクション毎に、画像番号、画像情報、画像情報の送信元の通信端末１０の通信ＩＤ、及び、画像情報が生成された時刻が関連付けられて管理される。画像情報は、例えば、線「Line」、円「Circle」等のストロークを示すストロークデータ、テキストを示すテキストデータ「Text」、及び消去する画像を示すデータ「Delete」等が含まれる。これらの画像情報には、画像が出力又は消去される位置を示す座標情報、画像のサイズ、色、或いはフォントを示す情報等が含まれていても良い。また、画像情報は、上記の追加する画像の画像情報、あるいは消去する画像の画像情報だけでなく修正する画像の画像情報を含んでも良い。一実施形態において、テキストは画像の一例であって、文字及び記号等を含む。これらの画像情報は、サービスの提供が完了するまで(EOS: End of Service)、画像情報管理テーブルにおける画像情報のフィールドへ、画像番号の順に記録される。また、一実施形態によると、ＩＷＢ２０は、ディスプレイ２２０上に表示されたタブによって切り換え可能なワークスペース毎に、異なる画像を出力することができる。上記のシート番号は、ワークスペースを識別するための番号である。なお、シートは、例えば、ワークシート、スペース、ワークスペース等の画像が描かれる領域を示す任意の用語に置き換えることができる。また、各画像情報管理テーブルには、通信端末１０間のセッションのセッションＩＤ、及びこのセッションへの参加要求の認証に用いられる参加認証情報が管理されている。  
【００４０】
（管理システムの各機能構成）
次に、管理システム５０の各機能構成について詳細に説明する。なお、以下では、管理システム５０の各機能構成を説明するにあたって、図５に示されている各構成要素のうち、管理システム５０の各機能構成を実現させるための主な構成要素との関係も説明する。
【００４１】
送受信部５１は、ＣＰＵ５０１からの命令、及びネットワークＩ／Ｆ５０９によって実行され、通信ネットワーク２を介して各装置又はシステムと各種データ（または情報）の送受信を行う。
【００４２】
認証部５２は、ＣＰＵ５０１からの命令によって実現され、セッションへの参加要求、或いはコンテンツデータの要求の認証を行う。
【００４３】
管理部５３は、ＣＰＵ５０１からの命令によって実現され、端末管理テーブル（図７（Ａ）参照）において参加認証情報を管理する。
【００４４】
作成部５４は、ＣＰＵ５０１からの命令によって実現され、ブラウザ上で表示可能な文書を作成する。文書は、例えば、ＨＴＭＬ（HyperText Markup Language）により記述されたものであっても良い。
【００４５】
セッション制御部５８は、ＣＰＵ５０１からの命令によって実現され、通信端末間でコンテンツデータを送信するセッションを制御する。なお、通信端末１０間のセッションをセッションｓｅｄと表記する。また、上記の制御としては、セッションを確立するための制御、セッションに通信端末１０参加させる制御、セッションを切断する制御等が含まれる。
【００４６】
記憶・読出部５９は、ＣＰＵ５０１からの命令及びＨＤＤ５０５によって実行され、又はＣＰＵ５０１からの命令によって実現され、記憶部５０００に各種データを記憶したり、記憶部５０００に記憶された各種データを抽出する処理を行う。
【００４７】
＜＜実施形態の処理または動作＞＞
続いて、本実施形態の通信システム１を構成する通信端末１０、管理システム５０の処理または動作について説明する。なお、各通信端末（１０ａ，１０ｂ，１０ｃ）は、外部機器接続Ｉ／Ｆ１１８を介して、それぞれＩＷＢ（２０ａ，２０ｂ，２０ｃ）と接続している。これにより、通信端末（１０ａ，１０ｂ，１０ｃ）間では、テレビ会議用の画像データ及び音データに加えて、ストローク情報等の共有画像の画像情報を共有することができる。まず、図８を用いて通信端末１０間のセッションを確立する処理について説明する。図８は、通信端末間のセッションを確立する処理を示したシーケンス図である。
【００４８】
通信端末１０ａの操作入力受付部１２は、ユーザによる操作ボタン１０８の操作に応じて、通信端末（１０ｂ，１０ｃ）との間の通信の開始要求を受け付ける（ステップＳ２１）。続いて、通信端末１０ａの表示制御部１３は、ディスプレイ１２０に参加制限の設定画面を出力する。図９（Ａ）は、参加制限の設定画面の表示例を示す図である。通信端末１０ａの操作入力受付部１２は、ユーザによる設定画面上の操作に応じて、参加制限の設定を受け付ける（ステップＳ２２）。以下、参加制限が設定された場合について説明を続ける。
【００４９】
通信端末１０ａの表示制御部１３は、ディスプレイ１２０に参加認証情報の受付画面を出力する。図９（Ｂ）は参加認証情報の受付画面の表示例を示す図である。通信端末１０ａの操作入力受付部１２は、ユーザによる受付画面上の操作に応じて、参加認証情報としてＰＩＮコードの入力を受け付ける（ステップＳ２３）。
【００５０】
通信端末１０ａの送受信部１１は、参加制限の設けられたセッションによる通信の開始要求”Private Invite”を、管理システム５０へ送信する（ステップＳ２４）。この通信の開始要求には、通信の開始要求元の通信端末１０ａの通信ＩＤ、宛先の通信端末（１０ｂ，１０ｃ）の通信ＩＤ、及びステップＳ２３において入力が受け付けられた参加認証情報、すなわちＰＩＮコードが含まれている。
【００５１】
管理システム５０の送受信部５１が開始要求を受信すると、管理部５３は、端末管理テーブルにおいて、開始要求元の通信端末１０ａの通信ＩＤが記録されたレコードの参加認証情報のフィールドに、開始要求に含まれている参加認証情報を登録する（ステップＳ２５）。
【００５２】
続いて、管理システム５０の送受信部５１は、宛先の通信端末（１０ｂ，１０ｃ）に対して、参加制限の設けられたセッションによる通信の開始要求”Private Invite”を送信する（ステップＳ２６）。この通信の開始要求には、通信の開始要求元の通信端末１０ａの通信ＩＤ及び宛先の通信端末（１０ｂ又は１０ｃ）の通信ＩＤが含まれている。
【００５３】
各宛先の通信端末（１０ｂ，１０ｃ）において通信の開始要求が受信されると、表示制御部１３は、ディスプレイ１２０に開始要求情報を受信したことを示す開始要求受信画面を出力する。図９（Ｃ）は、開始要求受信画面の表示例を示す図である。通信端末（１０ｂ，１０ｃ）の各操作入力受付部１２は、ユーザによる開始要求受信画面上の操作に応じて、開始の許可の入力を受け付ける（ステップＳ２７）
【００５４】
続いて、各通信端末（１０ｂ，１０ｃ）の送受信部１１は、参加制限の設けられたセッションへの参加を要求する旨の応答を、管理システム５０へ送信する（ステップＳ２８）。この応答には、通信の開始要求元の通信端末１０ａの通信ＩＤ、宛先の通信端末（１０ｂ又は１０ｃ）の通信ＩＤが含まれている。
【００５５】
管理システム５０の送受信部５１は、応答を受信すると、各通信端末（１０ｂ，１０ｃ）に対して、参加認証情報の問い合わせを行う（ステップＳ２９）。これにより、各通信端末（１０ｂ，１０ｃ）の表示制御部１３は、ディスプレイ１２０に図９（Ｂ）と同様の参加認証情報の受付画面を出力する。各通信端末（１０ｂ，１０ｃ）の操作入力受付部１２は、ユーザによる受付画面上の操作に応じて、参加認証情報としてＰＩＮコードの入力を受け付ける（ステップＳ３０）。なお、入力される参加認証情報は、セッションに参加する権限を有するユーザだけが知り得る情報であり、例えば、過去のテレビ会議や、電話、メール等の手段で、通信端末（１０ａ，１０ｂ，１０ｃ）の各ユーザに通知された情報である。各通信端末（１０ｂ、１０ｃ）の送受信部１１は、受け付けられた参加認証情報を管理システム５０に送信する（ステップＳ３１）。
【００５６】
管理システム５０の送受信部５１が参加認証情報を受信すると、認証部５２は、セッションへの参加の認証を行う（ステップＳ３２）。この場合、管理システム５０のセッション制御部５８は、通信端末（１０ｂ又は１０ｃ）から受信した参加認証情報と、端末管理テーブルにおいて開始要求元の通信端末１０ａの通信ＩＤに関連付けられて管理されている参加認証情報と、を比較して、両者が一致するか否かを判断する。ここで、両者が一致していれば、認証に成功し、一致していなければ認証に失敗する。以下、認証部５２が認証に成功した場合について説明を続ける。
【００５７】
管理システム５０のセッション制御部５８は、通信端末（１０ａ，１０ｂ，１０ｃ）間で通信ネットワーク２を介して画像データ及び音データ、並びに画像情報を送信するセッションｓｅｄを確立する制御を行う（ステップＳ３３）。セッションｓｅｄを確立させる方法は、特に限定されないが、例えば、通信ネットワーク２上に画像データ及び音データ、並びに画像情報を中継する中継装置が設けられている場合には、この中継装置に接続するための接続情報を、送受信部５１から通信端末（１０ａ，１０ｂ，１０ｃ）へ送信させる方法が挙げられる。また、セッション制御部５８は、送受信部５１から中継装置へ、通信端末（１０ａ，１０ｂ，１０ｃ）間の画像データ及び音データ、並びに画像情報の中継を要求させても良い。
【００５８】
上記の制御に基づいて、セッションｓｅｄは確立する。これにより、通信端末（１０ａ，１０ｂ，１０ｃ）は、通信相手である通信端末（１０ｃ，１０ｂ，１０ａ）との間で画像データ及び音データ、並びに画像情報を送受信できるようになる（ステップＳ３４）。
【００５９】
続いて、図１０を用いて、通信端末１０間で画像情報を送信する処理について説明する。図１０は、通信端末１０間で画像情報を送信する処理を示したシーケンス図である。
【００６０】
ユーザが入力装置３００のペン先又はペン尻をＩＷＢ２０ａのタッチパネル２２４に接触させると、入力装置３００は接触検知信号を送信する。この接触検知信号を信号受信装置２２５が受信すると、タッチパネル２２４は、接触位置の座標の移動を検知して、ストロークを示す画像情報を出力する。外部機器接続Ｉ／Ｆ１１８を介して画像情報が通信端末１０ａに入力されると、操作入力受付部１２は、ストロークの操作入力を受け付ける（ステップＳ６１）。
【００６１】
続いて、表示制御部１３は、外部機器接続Ｉ／Ｆ１１８を介して入力された画像情報をディスプレイ２２０へ出力する（ステップＳ６２）。これによりディスプレイ２２０には、これまでに出力された画像に重畳して画像情報に基づくストロークが表示される。なお、上記のストロークはＩＷＢ２０ａ側の制御に基づいて表示されても良い。
【００６２】
通信端末１０ａの送受信部１１は、上記の画像情報、画像が描画等されるシートのシート番号、画像情報が生成された時刻、自端末（通信端末１０ａ）の通信ＩＤ、及び通信端末（１０ａ，１０ｂ，１０ｃ）間のセッションｓｅｄのセッションＩＤを、セッションｓｅｄにおける通信相手である通信端末（１０ｂ，１０ｃ）へ送信する（ステップＳ６３−１，Ｓ６３−２）。更に、送受信部１１は、通信端末（１０ｂ，１０ｃ）へ送信したものと同じ画像情報、シート番号、画像情報が生成された時刻、自端末（通信端末１０ａ）の通信ＩＤ、及び通信端末（１０ａ，１０ｂ，１０ｃ）間のセッションｓｅｄのセッションＩＤを、管理システム５０へ送信する（ステップＳ６４）。
【００６３】
通信端末１０ａから送られてきた画像情報を各通信端末（１０ｂ，１０ｃ）の送受信部１１が受信すると、各表示制御部１３は、外部機器接続Ｉ／Ｆ１１８を介して画像情報をディスプレイ２２０へ出力する（ステップＳ６５−１，Ｓ６５−２）。これによりディスプレイ２２０には、これまでに出力された画像に重畳して画像情報に基づくストロークが表示される。
【００６４】
一方、管理システム５０では、通信端末（１０ａ，１０ｂ，１０ｃ）間のセッションｓｅｄが確立すると、記憶・読出部５９が、このセッションｓｅｄに係る画像情報管理テーブル（図７（Ｂ）参照）を生成して、画像情報管理ＤＢ５００４に登録する（ステップＳ６０）。このとき、記憶・読出部５９は、画像情報管理テーブルにおけるセッションＩＤのフィールドに、確立されたセッションのセッションＩＤを登録する。更に、記憶・読出部５９は、画像情報管理テーブルにおける参加認証情報のフィールドに、ステップＳ２４において開始要求元の通信端末１０ａから送られてきた参加認証情報であるＰＩＮコードを登録する。
【００６５】
通信端末１０ａから送られてきた各情報を管理システム５０の送受信部５１が受信すると（ステップＳ６４）、記憶・読出部５９は、通信端末１０ａから送られてきたセッションＩＤと同じセッションＩＤが登録された画像情報管理テーブルに、画像情報を登録する（ステップＳ６６）。この場合、通信端末１０ａから送られてきたシート番号のセクションに、通信端末１０ａから送られてきた画像情報、通信ＩＤ、及び、時刻を関連付けて追加的に記憶する。これにより、管理システム５０では、通信端末１０ａによって送信される各画像情報のログを管理することができる。
【００６６】
なお、通信端末１０ｂが画像情報を送信する場合は、上記のステップＳ６１乃至Ｓ６６において、通信端末（１０ａ，１０ｂ，１０ｃ）がそれぞれ通信端末（１０ｂ，１０ｃ，１０ａ）に変更されるだけなので、詳細な説明を省略する。また、通信端末１０ｃが画像情報を送信する場合は、上記のステップＳ６１乃至Ｓ６６において、通信端末（１０ａ，１０ｂ，１０ｃ）がそれぞれ通信端末（１０ｃ，１０ａ，１０ｂ）に変更されるだけなので、詳細な説明を省略する。
【００６７】
続いて、図１１を用いて、通信端末１０ａがセッションｓｅｄから退出した後、通信端末（１０ａ，１０ｂ，１０ｃ）間で共有していた画像を再生する処理ついて説明する。図１１は、画像を再生する処理を示したシーケンス図である。以下、通信端末１０ａにおいて画像を再生する処理について説明するが、画像を再生可能な装置は、通信端末１０ａに限定されない。例えば、他の通信端末（１０ｂ，１０ｃ）、或いは、他の通信端末（１０ａ，１０ｂ，１０ｃ）のユーザのＰＣ（Personal Computer）等において画像を再生することもできる。なお、ＰＣにおいて画像を再生する場合に、ＰＣはアプリケーションとハードウェアとの協調した動作により通信端末１０における送受信部１１、表示制御部１３等の機能を実現する。この場合、以下の説明における通信端末１０ａは、他の通信端末１０、あるいは他の装置に置き換えられる。
【００６８】
一実施形態の管理システム５０は、Ｗｅｂサーバ機能を有している。通信端末１０ａは、管理システム５０のＷｅｂサーバ機能によって提供される画像再生サービスを利用することにより画像を再生することができる。まず、通信端末１０ａの送受信部１１は、ユーザによる操作入力に応じて、管理システム５０の画像再生サービスへアクセスする（ステップＳ２０１）。このアクセスに応じて、管理システム５０の送受信部５１は、画像再生サービスへのログイン画面のＨＴＭＬファイルを通信端末１０ａへ送信する（ステップＳ２０２）。ログイン画面は、表示制御部１３によって任意のディスプレイ（１２０，２２０）に出力される。図１２（Ａ）は、ログイン画面の一例を示す図である。
【００６９】
通信端末１０ａの送受信部２１は、ユーザによるログイン画面上の操作に応じて、入力された自端末の通信ＩＤ及びパスワードを管理システム５０へ送信する（ステップＳ２０３）。管理システム５０の認証部５２は、通信端末１０ａから送られてきた通信ＩＤ及びパスワードの組と同じ組が、記憶部５０００の任意の記録領域において管理されているかを判断することで、ログイン要求元の認証を行う（ステップＳ２０４）。
【００７０】
この認証により、正当な端末であると判断された場合には、作成部５４は、ログイン要求元の通信端末１０ａの通信ＩＤを検索キーとして、画像情報管理ＤＢ５００４を検索して、この通信ＩＤが含まれる画像情報管理テーブル（図７（Ｂ）参照）を抽出する。更に、作成部５４は、抽出された各画像情報管理テーブルに記録されている情報に基づいて、通信端末１０ａが参加した各セッションにおける参加日時、参加時間、拠点数（参加端末数）等を特定する。そして、作成部５４は、特定された各参加日時、各参加時間、各拠点数、及び、各セッションにおいて生成された画像の再生要求を受け付けるボタンが示された会議履歴画面のＨＴＭＬファイルを作成する（ステップＳ２０５）。なお、各ボタンは、セッションＩＤが対応付けられている。管理システム５０の送受信部５１は、会議履歴画面のＨＴＭＬファイルを通信端末１０ａへ送信する（ステップＳ２０６）。
【００７１】
会議履歴画面のＨＴＭＬファイルを受信した通信端末１０ａでは、表示制御部１３が、任意のディスプレイ（１２０，２２０）に会議履歴画面を出力する。図１２（Ｂ）は、会議履歴画面の一例を示す図である。通信端末１０ａの操作入力受付部１２によって、いずれかのセッションのホワイトボード情報参照ボタンの選択が受け付けられると、送受信部１１は、選択されたセッションにおいて生成された画像の再生要求を管理システム５０へ送信する（ステップＳ２０７）。この画像再生要求には、選択されたボタンに対応付けられているセッションＩＤが含まれている。
【００７２】
画像再生要求が管理システム５０の送受信部５１によって受信されると、記憶・読出部５９は画像再生要求に含まれているセッションＩＤが登録されている画像情報管理テーブルを、画像情報管理ＤＢ５００４から読み出す。読み出された画像情報管理テーブルにおいて参加認証情報が登録されている場合、送受信部５１は、参加認証情報を通信端末１０ａへ要求する（ステップＳ２０８）。
【００７３】
参加認証情報の要求を受信した通信端末１０ａでは、表示制御部２３が会議履歴画面に重畳して参加認証情報の入力フォームを出力する。図１２（Ｃ）は、ディスプレイの表示例を示す図である。ユーザによる入力フォーム上の操作に応じて、通信端末１０ａの操作入力受付部１２は、参加認証情報の入力を受け付ける（ステップＳ２０９）。入力される参加認証情報は、セッション毎に設定され、ステップＳ２２において通信端末１０から管理システム５０へ送信されたものである。通信端末１０ａの送受信部１１は、入力された参加認証情報、及び画像生成要求に係るセッションのセッションＩＤを管理システム５０へ送信する（ステップＳ２０７）。
【００７４】
管理システム５０の送受信部５１が参加認証情報及びセッションＩＤを受信すると、認証部５２は、画像再生要求の認証を行う（ステップＳ２１１）。この場合、認証部５２は、画像情報管理テーブルに登録されている参加認証情報及びセッションＩＤの組と、通信端末１０ａから送られてきた参加認証情報及びセッションＩＤの組が一致するか否かを判断する。ここで一致していれば認証に成功し、一致していなければ認証に失敗する。認証に失敗した場合、送受信部５１は、エラーメッセージを通信端末１０ａへ送信して処理を終了する。
【００７５】
認証に成功した場合、作成部５４は、通信端末１０ａから送られてきたものと同じ組の参加認証情報及びセッションＩＤが記録されている画像情報管理テーブル（図７（Ｂ）参照）から、シート番号ごとに、各画像に係る画像情報、通信ＩＤ、及び時刻を読み出す（ステップＳ２１２）。また、作成部５４は、ホワイトボード共有画面のＨＴＭＬファイルを作成する。
【００７６】
続いて、管理システム５０の送受信部５１は、ホワイトボード共有画面のＨＴＭＬファイルを通信端末１０ａへ送信する。また、送受信部５１は、ステップＳ２０８において画像情報管理テーブルからシート番号ごとに読み出された各画像に係る画像情報、通信ＩＤ、及び時刻を関連付けてＩＷＢ２０ａへ送信する（ステップＳ２１３）。
【００７７】
通信端末１０ａの送受信部１１がホワイトボード共有画面のＨＴＭＬファイル及び、画像情報管理テーブルから読み出された各情報を受信すると、表示制御部１３は、任意のディスプレイ（１２０，２２０）へ、ホワイトボード共有画面を出力する（ステップＳ２１４）。続いて、表示制御部１３は、管理システム５０から送られてきた画像情報のうち、デフォルトのシート番号（例えば、シートＮｏ．１）に係るすべての画像情報を反映させた画像をホワイトボード共有画面に重畳して出力する。これにより、ホワイトボード共有画面には、デフォルトのシートの画像が表示される。図１３は、ディスプレイの表示例を示す図である。
【００７８】
（実施形態の変形例）
一実施形態の通信システム１によると、ホワイトボード共有画面を残しておくか否かを切り換えることができる。この場合、通信端末１０の表示制御部１３は、任意のタイミングで、ホワイトボード共有画面を残しておくか否かの入力を受け付けるための画面を任意のディスプレイ（１２０，２２０）へ出力する。図１４は、ディスプレイの表示例を示す図である。
【００７９】
通信端末１０の送受信部１１は、任意のタイミングで、操作入力受付部１２によって受け付けられたホワイトボード共有画面を残しておくか否かを示す情報を管理システム５０へ送信する。ホワイトボード共有画面を残しておかない旨選択された場合、通信端末１０から管理システム５０へ画像情報が送られてきても、管理システム５０の記憶・読出部５９は記憶部５０００に画像情報を記憶しない。あるいは、管理システム５０の記憶・読出部５９は、記憶部５０００に画像情報を記憶しても良いが、通信端末１０がセッションから退出した後に、記憶部５０００に記憶されている画像情報を削除する。
【００８０】
＜＜実施形態の主な効果＞＞
続いて、実施形態の主な効果について説明する。上記で説明したデータ管理方法において、管理システム５０の端末管理ＤＢ５００２又は画像情報管理ＤＢ５００４（認証情報管理手段の一例）は、通信端末１０によるセッションへの参加の認証に用いられる参加認証情報（認証情報の一例）を管理する。管理システム５０の画像情報管理ＤＢ５００４（コンテンツデータ管理手段の一例）は、セッションにおいて通信端末１０間で送信される画像情報（コンテンツデータの一例）を管理する。管理システム５０の送受信部５１（要求受付手段の一例）は、画像情報管理ＤＢ５００４において管理されている画像情報の要求を受け付ける（要求受付処理の一例）。管理システム５０の認証部５２（認証手段の一例）は、画像情報管理ＤＢ５００４において管理されている参加認証情報を用いて画像情報の要求元を認証する（認証処理の一例）。認証部５２が、認証に成功した場合、管理システム５０の送受信部５１（送信手段の一例）は画像情報管理ＤＢ５００４において管理されている画像情報を画像情報の要求元の通信端末１０へ送信する（送信処理の一例）。これにより、通信端末１０が、画像情報管理ＤＢ５００４へアクセスするときに、セッションへの参加認証情報を用いて認証することで、セッションへ参加していない画像情報の要求元へ画像情報が送信されることを防ぐことが可能となる。
【００８１】
認証部５２は、画像情報の要求元の通信端末１０によって送信される参加認証情報と、画像情報管理ＤＢ５００４において管理されている参加認証情報とが一致するか否かに基づいて認証する。これにより、セッション毎に共通の参加認証情報を用いて、複数の通信端末１０による要求を認証できる。
【００８２】
画像情報管理ＤＢ５００４は、参加認証情報と、セッションにおいて通信端末１０間で送信される一以上の画像情報と、を関連付けて管理する。送受信部５１は、画像情報の要求元の通信端末１０によって送信される参加認証情報に関連付けられて管理されている一以上の画像情報を画像情報の要求元の通信端末１０へ送信する。これにより、セッションが確立されている間に送信される１以上の画像情報を、要求元の通信端末１０へ送信可能となる。
【００８３】
管理システム５０の送受信部５１は、通信端末１０間のセッションへ参加する通信端末１０とは異なる通信端末１０から、画像情報の要求を受付可能である。これにより、ユーザの利便性が向上する。
【００８４】
通信端末１０は、通信端末１０間のセッションへ参加要求するとき、及び管理システム５０において管理されている画像情報を要求するときに、セッション毎に設定される参加認証情報を管理システム５０へ送信する。セッション参加要求時と、画像情報の要求時に共通の参加認証情報を管理システム５０へ送信することで、管理システム５０では、共通の認証情報を用いた認証が可能となる。
【００８５】
＜＜実施形態の補足＞＞
通信端末１０、ＩＷＢ２０、及び管理システム５０用の各プログラムは、インストール可能な形式又は実行可能な形式のファイルによって、コンピュータで読み取り可能な記録媒体（記録メディア１０６等）に記録されて流通されるようにしてもよい。また、上記記録媒体の他の例として、ＣＤ−Ｒ(Compact Disc Recordable)、ＤＶＤ(Digital Versatile Disk)、ブルーレイディスク等が挙げられる。また、上記記録媒体、あるいは、これらプログラムが記憶されたＨＤ５０４は、プログラム製品(Program Product)として、国内又は国外へ提供可能である。
【００８６】
また、上記実施形態における通信端末１０、ＩＷＢ２０、及び管理システム５０は、単一の装置によって構築されてもよいし、各部（機能又は手段）を分割して任意に割り当てられた複数の装置によって構築されていてもよい。
【００８７】
また、上記では、画像共有装置の一例としてＩＷＢ２０について説明したが、これに限るものではない。例えば、ＩＷＢ２０が、電子黒板や、画像共有機能を有するＰＣ(Personal Computer)等であってもよい。
【００８８】
更に、上記では、ＩＷＢ２０（下位概念）等の画像共有装置（中位概念）によって、テレビ会議を行うことに関して説明したが、これに限るものではない。本発明は、テレビ会議を含めたより広い概念としての通信分野において上記実施形態を応用したものを含む。例えば、プロジェクターシステム、デジタルサイネージ、テキスト共有システム、カーナビゲーションシステム、ゲーム機用の通信システム等で、複数の通信端末において出力される画像に係る画像情報を、複数の通信端末間で送信する場合に、上記実施形態を応用することができる。
【符号の説明】
【００８９】
１  通信システム
２  通信ネットワーク
１０  通信端末
２０  ＩＷＢ
１１  送受信部
１２  操作入力受付部
１３  表示制御部
１９  記憶・読出部
５０  管理システム
５１  送受信部
５２  認証部
５３  管理部
５４  作成部
５８  セッション制御部
５９  記憶・読出部
１０００  記憶部
５０００  記憶部
５００２  端末管理ＤＢ
５００４  画像情報管理ＤＢ
【先行技術文献】
【特許文献】
【００９０】
【特許文献１】特許第４２４１０５３号公報
【特許文献２】特開２０１４−９３５８２号公報
【図１】
2017011644.tif 000003
【図２】
2017011644.tif 000004
【図３】
2017011644.tif 000005
【図４】
2017011644.tif 000006
【図５】
2017011644.tif 000007
【図６】
2017011644.tif 000008
【図７】
2017011644.tif 000009
【図８】
2017011644.tif 000010
【図９】
2017011644.tif 000011
【図１０】
2017011644.tif 000012
【図１１】
2017011644.tif 000013
【図１２】
2017011644.tif 000014
【図１３】
2017011644.tif 000015
【図１４】
2017011644.tif 000016